(57)【特許請求の範囲】
【請求項１】
複数の発光デバイスのそれぞれの全光量を連続的に測定するシステムであって、
発光デバイスを着脱自在に所定の位置に保持するソケットと、
複数の前記ソケットを、供給ステーション、第一測定ステーション、第二測定ステーション、回収ステーションの順番で間欠的に移送する移送手段とを備え、
前記供給ステーションにおいては、発光デバイスを前記ソケットに装着する装着手段を備え、
前記回収ステーションにおいては、発光デバイスを前記ソケットから回収する回収手段を備え、
第一測定ステーション、および、第二測定ステーションの一方においては、前記ソケットに保持された発光デバイスを内方に配置可能な第一空間を備える第一筐体であって、前記第一空間に配置された発光デバイスから放射される光を正反射する反射面部と、発光デバイスから直接到達する直接光と前記反射面部で反射した後到達する反射光とが通過する第一開口と、発光デバイスを前記第一空間に配置するための第一挿入孔とを有する第一筐体を備え、
第一測定ステーション、および、第二測定ステーションの他方においては、前記ソケットに保持された発光デバイスを内方に配置可能な第二空間を備える第二筐体であって、前記第一開口と同一形状かつ同一面積の第二開口と、前記第二空間に配置された発光デバイスから放射され前記第二開口に直接到達する直接光のみを通過させるように光を吸収する吸収面部と、発光デバイスを前記第二空間に配置するための第二挿入孔とを有する第二筐体を備え、
前記第一測定ステーション、および、第二測定ステーションにおいて、前記第一筐体、および、前記第二筐体を前記ソケットに対して接近離反させることにより、前記ソケットに保持された発光デバイスが前記第一筐体の内方に配置されて光量が測定可能となる測定可能状態と、前記移送手段による前記ソケットの移送が可能となる移送可能状態とを転換する転換手段と、
前記第一測定ステーション、および、第二測定ステーションにおいて、前記ソケットに保持されている発光デバイスに電力を供給して発光デバイスを駆動する電力供給手段と、
前記第一開口を通過する光の光量である第一光量と、前記第二開口を通過する光の光量である第二光量とをする検出手段と、
検出された前記第一光量と前記第二光量とに基づいて発光デバイスの全光量を算出する演算手段と
を備える全光量測定システム。
【請求項２】
前記移送手段は、前記ソケットを着脱自在に保持するソケット保持部を備える請求項１に記載の全光量測定システム。
【請求項３】
前記転換手段は、前記第一挿入孔の外端部周縁、および、前記第二挿入孔の外端部周縁を前記移送手段および前記ソケットの少なくとも一方に近接、または、当接させることで、前記第一空間、および、前記第二空間への迷光の進入を抑制する
請求項１に記載の全光量測定システム。
【請求項４】
前記第一筐体は、前記第一挿入孔の外端部周縁と前記移送手段および前記ソケットの少なくとも一方とが近接状態、または、当接状態となった場合、発光デバイスと前記第一筐体との位置を決定する、前記第一挿入孔の外端部周縁に配置される第一決定部を備え、
前記第二筐体は、前記第二挿入孔の外端部周縁と前記移送手段および前記ソケットの少なくとも一方とが近接状態、または、当接状態となった場合、発光デバイスと前記第二筐体との位置を決定する、前記第二挿入孔の外端部周縁に配置される第二決定部を備え、
さらに当該全光量測定システムは、
前記移送手段および前記ソケットの少なくとも一方に、前記第一決定部および前記第二決定部のいずれにも係合する係合部を備える
請求項３に記載の全光量測定システム。
【請求項５】
前記第一決定部は、発光デバイスが前記第一空間に配置された状態において、発光デバイスを取り囲むような環形状であり、
前記第二決定部は、発光デバイスが前記第二空間に配置された状態において、発光デバイスを取り囲むような環形状であり、
前記係合部は、前記第一決定部および前記第二決定部のいずれにも係合する環形状である
請求項４に記載の全光量測定システム。
【請求項６】
さらに、
前記第一決定部と前記係合部とが係合する場合に、前記第一筐体の所定の平面内でのずれを許容し、前記第二決定部と前記係合部とが係合する場合に、前記第二筐体の前記平面内でのずれを許容するフローティング機構を備える
請求項４に記載の全光量測定システム。
【請求項７】
前記転換手段は、前記第一筐体を着脱自在に保持する第一筐体保持部と、前記第二筐体を着脱自在に保持する第二筐体保持部とを備える
請求項１に記載の全光量測定システム。
【請求項８】
発光デバイスを内方に配置可能な第一空間と、前記第一空間に配置された発光デバイスから放射される光を正反射する反射面部と、発光デバイスから直接到達する直接光と前記反射面部で反射した後到達する反射光とが通過する第一開口と、発光デバイスを前記第一空間に配置するための第一挿入孔とを有する第一筐体と、発光デバイスを内方に配置可能な第二空間と、前記第一開口と同一形状かつ同一面積の第二開口と、前記第二空間に配置された発光デバイスから放射され前記第二開口に直接到達する直接光のみを通過させるように光を吸収する吸収面部と、発光デバイスを前記第二空間に配置するための第二挿入孔とを有する第二筐体とを備える全光量測定システムを用い、複数の発光デバイスのそれぞれの全光量を連続的に測定する方法であって、
発光デバイスをソケットに装着する装着工程と、
発光デバイスを転換手段により測定可能状態とする転換工程と、
前記第一開口を通過する光の光量である第一光量を検出手段により検出する第一検出工程と、
前記第二開口を通過する光の光量である第二光量を検出手段により検出する第二検出工程と、
検出された前記第一光量と前記第二光量とに基づいて発光デバイスの全光量を演算手段により算出する演算工程と、
発光デバイスを前記ソケットから取り外す回収工程と
を同時期に実行する全光量測定方法。
【発明の詳細な説明】
【技術分野】
【０００１】
本願発明は、ＬＥＤ（Light Emitting Diode）などを含む発光デバイスから発生する全光量を測定するための測定システム、測定方法に関し、特に、多数の発光デバイスの全光量を連続して測定する測定システム、測定方法に関する。
【背景技術】
【０００２】
一般的に発光デバイスの全光量を測定するには、積分球を備えた光量測定システムが用いられている。この積分球を備えた光量測定システムにより得られた値は発光デバイスの全光量を示す指標として標準的に用いられている。
【０００３】
ここで、積分球とは、球形の空間を内部に有する筐体の内壁面に拡散反射材料が塗布された部材である。この積分球の内部空間に発光デバイスを配置し、この発光デバイスを点灯すると、当該発光デバイスから放射される全ての光は、積分球の内壁面のいずれかで拡散状態で反射する。積分球の内部空間は球形であるため、光の反射は繰り返し発生し、光は反射のたびに拡散する。従って、積分球の内壁面に照射される光の単位面積あたりの量はいずれの部分でも同じになる。積分球を備えた光量測定システムとは、この積分球の性質を利用し、積分球の内部に配置された発光デバイスの全光量と、積分球の内壁面の一部から取得した光量が比例することを利用し、積分球の内壁面の一部に光量を測定するセンサを配置し、当該センサによる測定値を発光デバイスの全光量とするものである。このような積分球を備えた光量測定システムによって測定される全光量は、積分球の大きさや光量を測定するセンサの種類によって異なる相対的な値であるので、標準発光デバイスを用いた測定結果を標準値とし、当該標準値との比較に基づき発光デバイスの全光量が絶対的に評価される。
【０００４】
このような積分球を備えた光量測定システムでは、積分球内の空間中に擬似的に浮遊した状態で発光デバイスを配置しなければならないため、発光デバイスの取り付け作業が困難となりがちである。従って、多数の発光デバイスについてそれぞれの全光量を取得するには長時間を要することとなる。
【０００５】
そこで、特許文献１には次の様な光量測定システムに関する発明が開示されている。すなわち、半球状の内壁面に光拡散材料を塗布した積分半球と、積分半球の開口部を覆うように設置された平面のミラーとを備える光量測定システムである。そして、発光デバイスは、前記ミラーの中心に配置される。このような構成によれば、ミラーによって積分半球と積分半球の虚像とによりあたかも積分球が存在する状態となり、ミラーの中心に発光デバイスを配置するだけで、積分球内の空間に発光デバイスを固定した状態を実現できる。従って、発光デバイスの取り付け作業を簡略化することが可能となる。
【先行技術文献】
【特許文献】
【０００６】
【特許文献１】特開２００９−１０３６５４号公報
【発明の概要】
【発明が解決しようとする課題】
【０００７】
ところが、大量に生産された発光デバイスの全光量を測定しようとする場合、発光デバイス毎に半田付けを行い、積分球に発光デバイスを配置し、全光量の測定に長時間を有するため、全ての発光デバイスに対する測定を断念し、大量に生産された発光デバイスの中から数個を抽出して全光量を測定する方法しか採用できない。
【０００８】
また、拡散反射材料として一般的に採用される硫酸バリウムなどは、保存状態（例えば保管場所の湿度）によって特性が大きく変化するものであるため、発光デバイスの生産設備の近傍など、湿度などの管理が困難な環境での測定は測定結果に経時的な変化が現れ、正確な資料とすることができない。
【０００９】
本願発明は、上記課題に鑑みなされたものであり、大量の発光デバイスの全光量を連続して測定することのできる全光量測定システム、および、全光量測定方法の提供を目的とする。
【課題を解決するための手段】
【００１０】
上記目的を達成するために、本願発明にかかる全光量測定システムは、複数の発光デバイスのそれぞれの全光量を連続的に測定するシステムであって、発光デバイスを着脱自在に所定の位置に保持するソケットと、複数の前記ソケットを、供給ステーション、第一測定ステーション、第二測定ステーション、回収ステーションの順番で間欠的に移送する移送手段とを備え、前記供給ステーションにおいては、発光デバイスを前記ソケットに装着する装着手段を備え、前記回収ステーションにおいては、発光デバイスを前記ソケットから回収する回収手段を備え、第一測定ステーション、および、第二測定ステーションの一方においては、前記ソケットに保持された発光デバイスを内方に配置可能な第一空間を備える第一筐体であって、前記第一空間に配置された発光デバイスから放射される光を正反射する反射面部と、発光デバイスから直接到達する直接光と前記反射面部で反射した後到達する反射光とが通過する第一開口と、発光デバイスを前記第一空間に配置するための第一挿入孔とを有する第一筐体を備え、第一測定ステーション、および、第二測定ステーションの他方においては、前記ソケットに保持された発光デバイスを内方に配置可能な第二空間を備える第二筐体であって、前記第一開口と同一形状かつ同一面積の第二開口と、前記第二空間に配置された発光デバイスから放射され前記第二開口に直接到達する直接光のみを通過させるように光を吸収する吸収面部と、発光デバイスを前記第二空間に配置するための第二挿入孔とを有する第二筐体を備え、前記第一測定ステーション、および、第二測定ステーションにおいて、前記第一筐体、および、前記第二筐体を前記ソケットに対して接近離反させることにより、前記ソケットに保持された発光デバイスが前記第一筐体の内方に配置されて光量が測定可能となる測定可能状態と、前記移送手段による前記ソケットの移送が可能となる移送可能状態とを転換する転換手段と、前記第一測定ステーション、および、第二測定ステーションにおいて、前記ソケットに保持されている発光デバイスに電力を供給して発光デバイスを駆動する電力供給手段と、前記第一開口を通過する光の光量である第一光量と、前記第二開口を通過する光の光量である第二光量とをする検出手段と、検出された前記第一光量と前記第二光量とに基づいて発光デバイスの全光量を算出する演算手段とを備えることを特徴とする。
【００１１】
これによれば、第二光量を用いて第一光量に含まれる反射光による影響を補正し、発光デバイスの全光量を算出するため、硫酸バリウムなどの拡散反射材料を備える積分球などに比べて、第一筐体や第二筐体の保管や取り扱いが容易となり、発光デバイスの生産工場内などの環境下でも安定して測定することが可能となる。
【００１２】
また、正反射による反射光や直接光を直接測定するため、比較的早い時間で測定を行っても十分に正確な測定が可能となる。従って、連続的に送られてくる全ての発光デバイスに対し全光量の測定を行うことが可能となる。
【００１３】
また、ソケットによって発光デバイスを保持するため、発光デバイスの位置の高い再現性を確保し、位置ずれによるばらつきのない正確な測定値を得ることが可能となる。
【００１４】
また、前記移送手段は、前記ソケットを着脱自在に保持するソケット保持部を備えるものでも良い。
【００１５】
これによれば、発光デバイスの種類に対応したソケットを準備し、全光量測定の対象となる発光デバイスに応じてソケットを取り替えることで、多様な種類の発光デバイスに対し柔軟に全光量の測定を行うことが可能となる。
【００１６】
また、前記転換手段は、前記第一挿入孔の外端部周縁、および、前記第二挿入孔の外端部周縁を前記移送手段および前記ソケットの少なくとも一方に近接、または、当接させることで、前記第一空間、および、前記第二空間への迷光の進入を抑制するものでもよい。
【００１７】
これによれば、発光デバイスを容易に測定可能状態とすることが可能となる。特に、近接状態で測定可能状態とできる場合、転換手段が可動しても、当接による衝撃が発生しないため、転換手段の寿命などを向上させることが可能となる。
【００１８】
さらに、前記第一筐体は、前記第一挿入孔の外端部周縁と前記移送手段および前記ソケットの少なくとも一方とが近接状態、または、当接状態となった場合、発光デバイスと前記第一筐体との位置を決定する、前記第一挿入孔の外端部周縁に配置される第一決定部を備え、前記第二筐体は、前記第二挿入孔の外端部周縁と前記移送手段および前記ソケットの少なくとも一方とが近接状態、または、当接状態となった場合、発光デバイスと前記第二筐体との位置を決定する、前記第二挿入孔の外端部周縁に配置される第二決定部を備え、さらに当該全光量測定システムは、前記移送手段および前記ソケットの少なくとも一方に、前記第一決定部および前記第二決定部のいずれにも係合する係合部を備えるものでもよい。
【００１９】
これによれば、第一転換手段によりソケットに保持された発光デバイスが第一筐体の内方に配置された状態で、第一決定部と係合部とが係合することにより、移送手段およびソケットの少なくとも一方を介して発光デバイスと第一筐体との位置を正確に決定することができる。また、第二転換手段によりソケットに保持された発光デバイスが第二筐体の内方に配置された状態で、第二決定部と係合部とが係合することにより、移送手段およびソケットの少なくとも一方を介して発光デバイスと第二筐体との位置を正確に決定することができる。
【００２０】
また、前記第一決定部は、発光デバイスが前記第一空間に配置された状態において、発光デバイスを取り囲むような環形状であり、前記第二決定部は、発光デバイスが前記第二空間に配置された状態において、発光デバイスを取り囲むような環形状であり、前記係合部は、前記第一決定部および前記第二決定部のいずれにも係合する環形状であってもよい。
【００２１】
これによれば、第一決定部と係合部とが嵌合することにより第一空間に迷光が侵入することを可及的に回避できる。また、第二決定部と係合部とが嵌合することにより第二空間に迷光が侵入することを可及的に回避できる。
【００２２】
さらに、前記第一決定部と前記係合部とが係合する場合に、前記第一筐体の所定の平面内でのずれを許容し、前記第二決定部と前記係合部とが係合する場合に、前記第二筐体の前記平面内でのずれを許容するフローティング機構を備えてもよい。
【００２３】
これによれば第一決定部と係合部とを係合させる場合、フローティング機構により第一転換手段と移送手段とのずれを吸収して、発光デバイスと第一筐体との位置決めを正確に行うことが可能となる。また、第二決定部と係合部とを係合させる場合、フローティング機構により第二転換手段と移送手段とのずれを吸収して、発光デバイスと第二筐体との位置決めを正確に行うことが可能となる。従って、第一転換手段や移送手段の位置制御を非常に精密に行う必要がなくなり、精密な位置制御に費やす時間を省略して、高速なタクトタイムで発光デバイスの全光量を測定することが可能となる。
【００２４】
また、前記第一転換手段は、前記第一筐体を着脱自在に保持する第一筐体保持部を備え、前記第二転換手段は、前記第二筐体を着脱自在に保持する第二筐体保持部を備えるものでよい。
【００２５】
これによれば、発光デバイスの種類に対応した第一筐体や第二筐体を準備し、全光量測定の対象となる発光デバイスに応じて第一筐体や第二筐体を取り替えることで、多様な種類の発光デバイスに対し柔軟に全光量の測定を行うことが可能となる。
【００２６】
また、上記目的を達成するために本願発明に係る全光量測定方法は、発光デバイスを内方に配置可能な第一空間と、前記第一空間に配置された発光デバイスから放射される光を正反射する反射面部と、発光デバイスから直接到達する直接光と前記反射面部で反射した後到達する反射光とが通過する第一開口と、発光デバイスを前記第一空間に配置するための第一挿入孔とを有する第一筐体と、発光デバイスを内方に配置可能な第二空間と、前記第一開口と同一形状かつ同一面積の第二開口と、前記第二空間に配置された発光デバイスから放射され前記第二開口に直接到達する直接光のみを通過させるように光を吸収する吸収面部と、発光デバイスを前記第二空間に配置するための第二挿入孔とを有する第二筐体とを備える全光量測定システムを用い、複数の発光デバイスのそれぞれの全光量を連続的に測定する方法であって、発光デバイスをソケットに装着する装着工程と、発光デバイスを転換手段により測定可能状態とする転換工程と、前記第一開口を通過する光の光量である第一光量を検出手段により検出する第一検出工程と、前記第二開口を通過する光の光量である第二光量を検出手段により検出する第二検出工程と、検出された前記第一光量と前記第二光量とに基づいて発光デバイスの全光量を演算手段により算出する演算工程と、発光デバイスを前記ソケットから取り外す回収工程とを同時期に実行することを特徴とする。
【００２７】
これによれば、第二光量を用いて第一光量に含まれる反射光による影響を補正し、発光デバイスの全光量を算出するため、硫酸バリウムなどの拡散反射材料を備える積分球などに比べて、第一筐体や第二筐体の保管や取り扱いが容易となり、発光デバイスの生産工場内などの環境下でも安定して測定することが可能となる。
【００２８】
また、正反射による反射光や直接光を直接測定するため、比較的早い時間で測定を行っても十分に正確な測定が可能となる。従って、連続的に送られてくる全ての発光デバイスに対し全光量の測定を行うことが可能となる。
【００２９】
また、ソケットによって発光デバイスを保持するため、発光デバイスの位置の高い再現性を確保し、位置ずれによるばらつきのない正確な測定値を得ることが可能となる。
【発明の効果】
【００３０】
本願発明によれば、発光デバイスの全光量を連続的に測定することができ、短時間で多数の発光デバイスに対し全光量の測定を行うことが可能となる。
【図面の簡単な説明】
【００３１】
【図１】図１は、全光量測定システムを模式的に示す斜示図である。
【図２】図２は、ソケットを上方から示す平面図である。
【図３】図３は、図２において示されるＡ−Ａ線でソケットを仮想的に切断した切断面を示す平面図である。
【図４】図４は、図２において示されるＢ−Ｂ線でソケット仮想的に切断した切断面を示す平面図である。
【図５】図５は、移送手段に取り付けられた状態のソケットにおける電気的な接続状態を模式的に示す図である。
【図６】図６は、移送手段に取り付けられた状態のソケットの固定状態を模式的に示す図である。
【図７】図７は、第一筐体を切り欠いて示す斜視図である。
【図８】図８は、第二筐体を切り欠いて示す斜視図である。
【図９】図９は、移送手段とソケットと第一筐体と第一転換手段との関係を一部切り欠いて模式的に示す平面図である。
【図１０】図１０は、電力供給手段の動作状態を模式的に示す図である。
【図１１】図１１は、電力供給手段の電力供給状態を模式的に示す図である。
【図１２】図１２は、検出手段を第一筐体などと共に模式的に示す図である。
【図１３】図１３は、全光量測定システムの機能部を機構部と共に示すブロック図である。
【図１４】図１４は、発光デバイスの取り付け状態を一部を切り欠いて側方から示す平面図である。
【図１５】図１５は、発光デバイスの取り付け状態を一部を切り欠いて他の側方から示す平面図である。
【図１６】図１６は、発光デバイスがソケットに取り付けられた状態を一部を切り欠いて側方から示す平面図である。
【図１７】図１７は、発光デバイスがソケットに取り付けられた状態を一部を切り欠いて他の側方から示す平面図である。
【図１８】図１８は、ソケットが移送可能な状態を模式的に示す図である。
【図１９】図１９は、全光量を測定可能な状態を模式的に示す図である。
【図２０】図２０は、移送手段と筐体との遮光方法の別態様を示す図である。
【図２１】図２１は、ソケットと筐体との遮光方法の別態様を示す図である。
【発明を実施するための形態】
【００３２】
次に本願発明に係る全光量測定システムについて、図面を参照しつつ説明する。
【００３３】
図１は、全光量測定システムを模式的に示す斜示図である。
【００３４】
同図に示すように、全光量測定システム１００は、複数の発光デバイス３００のそれぞれの全光量を連続的に測定するシステムであって、ソケット１０５と、複数のソケット１０５を、供給ステーション１、第一測定ステーション２、第二測定ステーション３、回収ステーション４の順番で移送する移送手段３１０と、第一筐体１０１と、第二筐体１０２と、転換手段１４０とを備えている。また、全光量測定システム１００は、装着手段３１３と、回収手段３１１と、電力供給手段３１５と、クランプ制御機構３１６とを備えている。
【００３５】
図２は、ソケットを上方から示す平面図である。
【００３６】
図３は、図２において示されるＡ−Ａ線でソケットを仮想的に切断した切断面を示す平面図である。
【００３７】
図４は、図２において示されるＢ−Ｂ線でソケット仮想的に切断した切断面を示す平面図である。
【００３８】
これらの図に示されるように、ソケット１０５は、発光デバイス３００を着脱自在に所定の位置に保持する装置である。本実施の形態の場合、ソケット１０５は、供給ステーション１において、装着手段３１３から受け取った発光デバイス３００を、ソケット１０５の所定の位置に再現性よく保持し、発光デバイス３００に電力を供給するための機能を備えており、基台１０６と、第一チャック１５１と、第二チャック１５２と、案内面１５３と、吸引孔１５４と、通電手段１５５と、ピン挿入孔１５６と、固定用ねじ穴１５７とを備えている。また、全光量測定システム１００は、同じ形状で同じ機能を備えるソケット１０５を複数個備えており、ソケット１０５は、円周上等間隔に並んで移送手段３１０に取り付けられている。
【００３９】
基台１０６は、各種部材などが取り付けられる基礎となる部材であり、上面に発光デバイス３００が載置される平面を備えている。基台１０６は、概略円柱形状となされており、第一チャック１５１や第二チャック１５２を保持する為の溝１６７が、外周面から中心軸方向に３箇所設けられている。
【００４０】
案内面１５３は、装着手段３１３から発光デバイス３００を受け取る際に面に発光デバイス３００を沿わせることで、Ｙ軸方向の所定の位置へ発光デバイス３００を案内するための部分であり、Ｚ軸方向の下に向かうに従いＹ軸方向に徐々に狭まる対向する二つの面からなる部分である。案内面１５３は、図４に示すように、基台１０６の上方に一体に、または、別体に取り付けられる案内体１６４の表面に設けられている。また、案内体１６４は、第一チャック１５１と第二チャック１５２との可動領域を確保するために基台１０６の中心軸を中心として放射状に三つに分断されている。案内体１６４の一つは、底面を半円形とするものであり、第二チャック１５２が配置されていない側に配置されている。他の二つは、底面を９０度の扇形とするものであり、第一チャック１５１と第二チャック１５２との間にそれぞれ配置されている。
【００４１】
吸引孔１５４は、基台１０６の中心軸に沿って基台１０６の一端面から他端面にわたって貫通状に設けられた孔である。吸引孔１５４は、全光量測定システム１００の外部に備えられる吸引装置（図示せず）と接続され、真空吸引により装着手段３１３に保持される発光デバイス３００を基台１０６に上で保持するための孔である。なお、吸引孔１５４による真空吸引を用いることなく、重力のみで発光デバイス３００を落下させ、案内面１５３に案内させても良い。この場合吸引孔１５４は不要となる。
【００４２】
第一チャック１５１は、基台１０６に設けられた溝１６７に架橋状に取り付けられた軸体１６８に回動自在に取り付けられた部材であり、一端が基台１０６に取り付けられたバネ１６９の他端が取り付けられ、バネ１６９によって回動方向に付勢されている。第一チャック１５１は、バネ１６９の付勢力に抗して第一チャック１５１を回動させるためのレバー１６５を一体に備えている。第一チャック１５１は、発光デバイス３００のＹ軸方向の位置を決定すると共に、発光デバイス３００を保持し、さらに、発光デバイス３００との電気的接続を確保する機能を備えている。第一チャック１５１は、ＹＺ平面に対し対称に配置されており、発光デバイス３００を保持する方向に付勢された状態で取り付けられている。従って、第一チャック１５１に保持される発光デバイス３００は、対称な二つの第一チャック１５１で挟持されるため、Ｘ軸方向の位置が再現性よく決定される。また、第一チャック１５１は、発光デバイス３００を保持する際にＸ軸方向に挟持すると共に、Ｚ軸方向の下向きに発光デバイス３００を押しつける力を発生させている。これにより、発光デバイス３００は、案内面１５３に挟まれた部分に押しつけられ、Ｚ軸方向の位置が再現性よく決定される。第一チャック１５１は、装着手段３１３や回収手段３１１に対応する位置に配置されるクランプ制御機構３１６により、付勢力に抗して押し広げられるものとなっている。
【００４３】
さらに、第一チャック１５１は、通電手段１５５の端部に設けられる第一電極１５８を突出方向に付勢された状態で保持している。これにより、第一チャック１５１が発光デバイス３００を挟持した状態において、第一電極１５８が発光デバイスの側面に押しつけられ、電気的接続が確保される。
【００４４】
第二チャック１５２は、基台１０６に設けられた溝に架橋状に取り付けられた軸体１６８に回動自在に取り付けられた部材であり、一端が基台１０６に取り付けられたバネの他端が取り付けられ、バネによって回動方向に付勢されている。第二チャック１５２は、バネの付勢力に抗して第二チャックを回動させるためのレバー１６６を一体に備えている。第二チャック１５２は、発光デバイス３００をＹ軸方向において保持する機能を備えている。第二チャック１５２は、基台１０６の上面に載置された状態の発光デバイス３００を一方の案内面１５３の下方に位置する壁面に押しつけるように付勢された状態で取り付けられている。従って、発光デバイス３００は、第二チャック１５２と壁面とで挟持されるため、Ｙ軸方向の所定の位置に保持される。第二チャック１５２は、装着手段３１３や回収手段３１１に対応する位置に配置されるクランプ制御機構３１６により、付勢力に抗して押し広げられるものとなっている。
【００４５】
ピン挿入孔１５６ａ、１５６ｂは、移送手段３１０に対するソケット１０５の位置を決めるためのピンを挿入するための孔であり、基台１０６の底面側に２箇所設けられている。なお、ソケット１０５やソケット１０５が取り付けられる部分の移送手段３１０の寸法誤差を吸収するため、ピン挿入孔１５６ａは、断面円形の穴であり、ピン挿入孔１５６ｂは長穴となっている。
【００４６】
固定用ねじ穴１５７は、移送手段３１０にソケット１０５を取り付けるためのボルトと係合するための穴であり、基台１０６の底面側に設けられている。
【００４７】
通電手段１５５は、ソケット１０５に保持された発光デバイス３００と接触して電気的な接続を確保すると共に、ソケット１０５外部にある電源と電気的に接続されて発光デバイス３００に電力を供給して発光デバイス３００を駆動するための装置であり、第一電極１５８と第二電極１５９とこれらを結ぶ導線で構成されている。第二電極１５９は、基台１０６の底面に突出状態で設けられており、ソケット１０５を移送手段３１０に載置状態で取り付けた際に、移送手段３１０の上面に設けられる電極などに接続できるものとなっている。
【００４８】
図５は、移送手段に取り付けられた状態のソケットにおける電気的な接続状態を模式的に示す図である。
【００４９】
同図に示すように、通電手段１５５は、ソケット１０５が移送手段３１０に取り付けられた状態において、移送手段３１０が備える中継手段１６０と電気的に接続するものとなっている。そして、後述の電力供給手段３１５が中継手段１６０と接続されることにより、通電手段１５５は、発光デバイス３００に電力を供給して発光デバイス３００を発光させる。
【００５０】
図６は、移送手段に取り付けられた状態のソケットの固定状態を模式的に示す図である。
【００５１】
同図に示すように、移送手段３１０の上面に突出状態で設けられた２本のピン１６１とピン挿入孔１５６とが嵌合するようにソケット１０５を配置し、ボルト１６２と固定用ねじ穴１５７とを螺着することで、ソケット１０５は、移送手段３１０に対し正確な位置に取り付けることができるものとなっている。逆に、ボルト１６２をはずせば、ソケット１０５は移送手段３１０から容易に取り外すことができる。従って、異なる形状の発光デバイス３００を保持するソケット１０５であってもピン挿入孔１５６の位置関係と固定用ねじ穴１５７の位置関係とを同じにしておけば、容易にソケット１０５を交換することが可能となる。
【００５２】
移送手段３１０は、複数のソケット１０５を間欠的に移送し循環させる装置である。本実施の形態の場合、移送手段３１０は、図１に示すように、円板状のテーブル３１４と、テーブル３１４を所定の角度毎にテーブル３１４の中心を通る軸周りで間欠的に回転させる回転駆動装置（図示せず）とを備えている。移送手段３１０は、テーブル３１４の上面周縁に沿って複数のソケット１０５を保持しており、テーブル３１４を間欠的に所定の角度で回転させることでソケット１０５を移送すると共に循環させている。なお、本実施の形態で示す移送手段３１０は、インデックステーブルと称される場合がある。
【００５３】
移送手段３１０は、図５に示すように多数の中継手段１６０を厚さ方向に貫通するように保持し、図６に示すように、複数のピン１６１が表面から突出するように取り付けられ、ボルト１６２が挿通される貫通孔が設けられている。これら複数のピン１６１およびボルト１６２を挿通するための貫通孔がソケット保持部として機能している。
【００５４】
また、移送手段３１０は、吸引孔１５４と接続され、真空経路を形成する配管１６３が設けられている。
【００５５】
また、移送手段３１０は、図５に示すように、ソケット保持部を囲んで配置され、断面が半円形の環状の係合部３１２が設けられている。
【００５６】
図７は、第一筐体を切り欠いて示す斜視図である。
【００５７】
第一筐体１０１は、発光デバイス３００から放射される光の一部を正反射により反射させ第一開口１１１に導く部材であり、反射面部１１３と、ピン挿入孔１１７と、固定用ねじ穴１１８を備えている。
【００５８】
反射面部１１３は、第一空間１１０に配置された発光デバイス３００から放射される光を正反射する部分である。反射面部１１３は、光が乱反射することなくできる限り正反射する面（第一筐体１０１の内面に該当）を備えれば良く、いわゆる鏡面を備えていればよい。本実施の形態の場合、反射面部１１３は、金属である第一筐体１０１の内面を研磨により鏡面に仕上げたものである。従って、同図などでは反射面部１１３を別体のように記載しているが、反射面部１１３は、第一筐体１０１と一体でもかまわない。
【００５９】
また、反射面部１１３は、発光デバイス３００から放射された光が一度の反射で第一開口１１１に到達するような形状となっている。
【００６０】
なお、反射面部１１３は、円錐台形状に限定されるものではなく、反射面部１１３が発光デバイス３００から第一開口１１１に向かって湾曲する曲面であってもかまわない。当該湾曲する反射面部１１３としては、例えば、放物面を表面に備える反射面部１１３を挙示することができる。反射面部１１３が放物面を備える場合、放物面の焦点に発光デバイス３００をおくと、発光デバイス３００から放射され反射面部１１３の放物面に反射した反射光が放物面の対称軸と平行となり第一開口１１１に向かうこととなる。この場合、反射光は一度の反射で第一開口１１１に垂直に到達することができる。
【００６１】
第一空間１１０は、第一筐体１０１の内部に設けられ、発光デバイス３００が配置される空間である。つまり、第一空間１１０は、第一筐体１０１の反射面部１１３で囲われて形成される空間である。本実施の形態の場合、第一空間１１０は、円錐台形状となっている。つまり、第一筐体１０１は、円錐台形状の第一空間１１０を形成する円筒形状となっている。
【００６２】
第一開口１１１は、第一空間１１０と隣接する他の空間とを連通状態とするための開口であり、発光デバイス３００から直接到達する直接光と反射面部１１３で反射した後到達する反射光とが通過する開口である。本実施の形態の場合、円錐台形状の第一空間１１０の底面部分（面積の大きい円形部分）が第一開口１１１に該当する。
【００６３】
ここで、第一空間１１０に配置された発光デバイス３００から放射され第一開口１１１を通過する光の総光量を第一光量と以下に記す。第一光量は、直接第一開口１１１に到達し第一開口１１１を通過する直接光の光量と、反射面部１１３に反射した後第一開口１１１を通過する反射光の光量の総和となる。
【００６４】
また、第一筐体１０１は、発光デバイス３００を第一空間１１０に配置するための第一挿入孔１１２が第一開口１１１と対向する面に設けられている。
【００６５】
第一挿入孔１１２は、本実施の形態の場合、第一筐体１０１を貫通して第一空間１１０と接続される孔であり、円錐台形状の第一空間１１０の上面部分（面積の小さい円形部分）が第一挿入孔１１２に該当する。また、第一挿入孔１１２は、発光デバイス３００が第一空間１１０に配置された状態においてソケット１０５を収容できる形状となっている。本実施の形態の場合、ソケット１０５は円筒形状となっており、第一挿入孔１１２は、ソケット１０５の外観形状よりも一回り大きな円筒形状となっている。
【００６６】
なお、第一挿入孔１１２にソケット１０５を収容した状態においてソケット１０５と第一筐体１０１との隙間は狭い方が好ましい、これにより迷光が第一空間１１０に進入することを可及的に回避することができるからである。
【００６７】
また、第一筐体１０１は、第一挿入孔１１２の外端部周縁に第一決定部１１６を備えている。第一決定部１１６は、発光デバイス３００が第一空間１１０に配置された状態において、発光デバイス３００と第一筐体１０１との位置を決定するための部分である。本実施の形態の場合、第一決定部１１６は、第一挿入孔１１２の外端部周縁に第一挿入孔１１２全周を囲むように配置された環状の突出部分である。
【００６８】
第一決定部１１６は、移送手段３１０に設けられた凹陥状の係合部３１２と係合することにより移送手段３１０やソケット１０５を介して第一筐体１０１と発光デバイス３００との位置を決定すると共に、迷光の第一空間１１０への進入を阻止する機能を有している。
【００６９】
なお、第一決定部１１６と係合部３１２の凹凸関係は任意に選択することができる。つまり、第一決定部１１６を凹陥状とし、係合部３１２を突出状としてもかまわない。
【００７０】
図８は、第二筐体を切り欠いて示す斜視図である。
【００７１】
第二筐体１０２は、発光デバイス３００から放射され、第二開口１２１に直接到達する直接光のみを通過させる部材であり、吸収面部１２３と、ピン挿入孔１２７と、固定用ねじ穴１２８とを備えている。
【００７２】
吸収面部１２３は、第二空間１２０に配置された発光デバイス３００から放射される光を吸収する部分である。吸収面部１２３は、光が反射することなくできる限り光を吸収する面（第二筐体１０２の内面に該当）を備えればよい。本実施の形態の場合、金属である第二筐体１０２の内面を無電界黒色メッキを施すことにより吸収面部１２３を形成している。従って、図１や図３では吸収面部１２３を別体のように記載しているが、吸収面部１２３は、第二筐体１０２と一体でもかまわない。
【００７３】
ここで、無電界黒色メッキとは、第二筐体１０２の表面に被膜を成長させる処理であり、光学機器の分野で広く用いられているものである。無電界黒色メッキにより得られる被膜は、自身の黒色と表面の微細凹凸により、可視光線ばかりでなく紫外線や近赤外線の波長領域の光を吸収することが可能である。
【００７４】
なお、本明細書、及び、特許請求の範囲において記載される「吸収」の語は、黒体や完全空洞のような入射した光がまったく反射しないと言う意味ではなく、正反射に比べて充分に小さな反射率であることを意味している。
【００７５】
第二空間１２０は、第二筐体１０２の内部に設けられ、発光デバイス３００が配置される空間である。つまり、第二空間１２０は、第二筐体１０２の吸収面部１２３で囲われて形成される空間である。本実施の形態の場合、第二空間１２０は、第一空間１１０と同じ形状、同じ体積の円錐台形状となっている。つまり、第二筐体１０２は、円錐台形状の第二空間１２０を形成する円筒形状となっている。
【００７６】
第二開口１２１は、第二空間１２０と隣接する他の空間とを連通状態とするための開口であり、発光デバイス３００から直接到達する直接光が通過する第一開口と同一形状かつ同一面積の開口である。本実施の形態の場合、円錐台形状の第二空間１２０の底面部分（面積の大きい円形部分）が第二開口１２１に該当する。
【００７７】
ここで、第二空間１２０に配置された発光デバイス３００から放射され第二開口１２１を通過する光の総光量を第二光量と以下に記す。第二光量は、直接第二開口１２１に到達し第二開口１２１を通過する直接光の光量となるが、これは厳密なものではなく、吸収面部１２３からの反射光も含まれる可能性はある。
【００７８】
また、第二筐体１０２は、発光デバイス３００を第二空間１２０に配置するための第二挿入孔１２２が第二開口１２１と対向する面に設けられている。
【００７９】
第二挿入孔１２２は、本実施の形態の場合、第一挿入孔１１２と同形状となされ、第二筐体１０２を貫通して第二空間１２０と接続される孔であり、円錐台形状の第二空間１２０の上面部分（面積の小さい円形部分）が第二挿入孔１２２に該当する。
【００８０】
このように、第二挿入孔１２２を設ける事で、第二空間１２０に発光デバイス３００を配置しやすくなり、また、発光デバイス３００を保持するソケット１０５を第二挿入孔１２２に収容させることで、迷光が第二空間１２０に進入することを抑制することができる。
【００８１】
さらに、第二挿入孔１２２は、第一挿入孔１１２と形状、及び、体積が同じであるため、第二開口１２１と発光デバイス３００との位置関係を第一開口１１１と発光デバイス３００との位置関係に一致させることも容易となる。
【００８２】
また、第二筐体１０２は、第二挿入孔１２２の外端部周縁に第二決定部１２６を備えている。第二決定部１２６は、発光デバイス３００が第二空間１２０に配置された状態において、発光デバイス３００と第二筐体１０２との位置を決定するための部分である。本実施の形態の場合、第二決定部１２６は、第一決定部１１６と同一形状、同一の大きさ、同一の位置関係であり、第二挿入孔１２２の外端部周縁に第二挿入孔１２２全周を囲むように配置された環状の突出部分である。
【００８３】
第二決定部１２６は、凹陥状の係合部３１２と係合することにより移送手段３１０やソケット１０５を介して第二筐体１０２と発光デバイス３００との位置を決定すると共に、迷光の第二空間１２０への進入を阻止する機能を有している。
【００８４】
なお、第二決定部１２６と係合部３１２の凹凸関係は、第一決定部１１６と同様に任意に選択することができる。
【００８５】
転換手段１４０は、ソケット１０５に取り付けられた発光デバイス３００と第一筐体１０１との関係を、測定可能状態と移動可能状態との一方から他方に転換することのできる装置であり、また、ソケット１０５に取り付けられた発光デバイス３００と第二筐体１０２との関係を、測定可能状態と移動可能状態との一方から他方に転換することのできる装置である。本実施の形態の場合、転換手段１４０は、第一転換手段１４１と第二転換手段１４２とを備えている。
【００８６】
ここで、測定可能状態とは、第一筐体１０１、および、第二筐体１０２の内方に発光デバイス３００が配置され、第一筐体１０１、および、第二筐体１０２と発光デバイス３００との位置関係が決定されるともに、第一筐体１０１、および、第二筐体１０２の外方に存在する迷光が第一空間１１０、および、第二空間１２０に進入しない、または、測定に影響の出ない微量の迷光しか進入し得ない状態を言う。
【００８７】
第一転換手段１４１は、ソケット１０５に保持された発光デバイス３００が第一筐体１０１の内方に配置され、測定可能となる測定可能状態と、発光デバイス３００を保持するソケット１０５と第一筐体１０１とが相対的に移動可能となる移動可能状態とを転換する装置である。本実施の形態の場合、第一転換手段１４１は、第一筐体１０１等を往復動させることができるアクチュエーターである。第一転換手段１４１は、第一筐体１０１を移送手段３１０に押しつける方向に移動させることにより第一決定部１１６と係合部３１２とを係合させてソケット１０５に保持された発光デバイス３００と第一筐体１０１との位置合わせをし、迷光の第一空間１１０への進入を阻止して、デバイス３００の全光量を測定しうる測定可能状態とすることができるものとなっている。一方、第一転換手段１４１は、第一筐体１０１を移送手段３１０から遠ざかる方向に移動させることにより、移送手段３１０を回転させてもソケット１０５と第一筐体１０１とが干渉しない移動可能状態とすることができるものとなっている。
【００８８】
第二転換手段１４２は、ソケット１０５に保持された発光デバイス３００が第二筐体１０２の内方に配置され、測定可能となる測定可能状態と、発光デバイス３００を保持するソケット１０５と第二筐体１０２とが相対的に移動可能となる移動可能状態とを転換する装置である。本実施の形態の場合、第二転換手段１４２は、第二筐体１０２等を往復動させることができるアクチュエーターである。第二転換手段１４２は、第二筐体１０２を移送手段３１０に押しつける方向に移動させることにより第二決定部１２６と係合部３１２とを係合させてソケット１０５に保持された発光デバイス３００と第二筐体１０２との位置合わせをし、迷光の第二空間１２０への進入を阻止して、デバイス３００の全光量を測定しうる測定可能状態とすることができるものとなっている。一方、第二転換手段１４２は、第二筐体１０２を移送手段３１０から遠ざかる方向に移動させることにより、移送手段３１０を回転させてもソケット１０５と第二筐体１０２とが干渉しない移動可能状態とすることができるものとなっている。
【００８９】
なお、本実施の形態の場合、転換手段１４０は、第一転換手段１４１と第二転換手段１４２とを備え、第一転換手段１４１と第二転換手段１４２とを独立して動作できるものとして説明したが、転換手段１４０は、第一筐体１０１と第二筐体１０２とを一度に往復動させるものでもかまわない。
【００９０】
図９は、移送手段とソケットと第一筐体と第一転換手段との関係を一部切り欠いて模式的に示す平面図である。
【００９１】
同図に示すように、第一転換手段１４１は、第一筐体１０１を着脱自在に保持する第一筐体保持部１４３を備えている。本実施の形態の場合、第一筐体保持部１４３は、位置合わせ用のピン１６７と、第一筐体１０１を固定するためのボルトが挿通される貫通孔（図示せず）とを備えている。また、第一筐体保持部１４３は、後述する第一検出器１１４を保持することができるものとなっている。
【００９２】
また、第一転換手段１４１と第一筐体保持部１４３との間には、フローティング機構１７０が介在配置されている。フローティング機構１７０は、第一決定部１１６と係合部３１２とが係合する場合に、第一筐体１０１の所定の平面（同図中ＸＹ平面）内でのずれを許容する機構である。
【００９３】
本実施の形態の場合、フローティング機構１７０を介して第一転換手段１４１に第一筐体１０１が取り付けられた状態で、第一転換手段１４１が第一筐体１０１を移送手段３１０に押しつけることによって、移送手段３１０の停止位置が多少ずれていたとしても、第一決定部１１６と係合部３１２がしっくりと係合するように第一筐体１０１がＸＹ平面方向にずれる。この場合、移送手段３１０は固定状態であり、第一転換手段１４１も固定されているため、第一筐体１０１の前記ずれは、フローティング機構１７０が吸収することとなる。
【００９４】
また、同図に基づき、移送手段３１０とソケット１０５と第一筐体１０１と第一転換手段１４１との関係を示したが、当該関係は、移送手段３１０とソケット１０５と第二筐体１０２と第二転換手段１４２との関係と同じであり、第二転換手段１４２は、第二筐体保持部を備える。なお、これらの説明は同様であるため省略する。
【００９５】
装着手段３１３は、発光デバイス３００を次々に供給すると共に、移送手段３１０に取り付けられたソケット１０５に発光デバイス３００を取り付けることのできる装置である。
【００９６】
回収手段３１１は、全光量が測定された発光デバイス３００を、移送手段３１０に取り付けられたソケット１０５から取り外し、所定の場所に搬送することができる装置である。本実施の形態の場合、全光量測定システム１００は、所定の基準を満たした発光デバイス３００を取り外す回収手段３１１ａと、所定の基準を満たさなかった発光デバイス３００を取り外す回収手段３１１ｂの二つを備えている。
【００９７】
電力供給手段３１５は、発光デバイス３００を駆動するために電力を供給する装置である。
【００９８】
図１０は、電力供給手段の動作状態を模式的に示す図である。
【００９９】
図１１は、電力供給手段の電力供給状態を模式的に示す図である。
【０１００】
これらの図に示すように、本実施の形態の場合、電力供給手段３１５は端子３１８を備えており、端子３１８を移送手段３１０に押しつけることによって、中継手段１６０と電気的に接続する状態と、端子３１８を移送手段３１０から遠ざけることで中継手段１６０との電気的な接続を解除して移送手段３１０を回転できる状態との２状態に転換する機能を備えている。また、電力供給手段３１５は、駆動回路３１９を備えており、中継手段１６０と端子３１８とが電気的に接続された状態において、中継手段１６０および通電手段１５５を介して発光デバイス３００に電力を供給して駆動することができるものとなっている。
【０１０１】
クランプ制御機構３１６は、ソケット１０５に対し発光デバイス３００を取り付ける際、および、ソケット１０５から発光デバイス３００を取り外す際に、第一チャック１５１の付勢力に抗して第一チャック１５１を広げると共に、第二チャック１５２の付勢力に抗して案内面１５３の下部の壁から第二チャック１５２を遠ざける機能を備えた装置である。
【０１０２】
図１２は、検出手段を第一筐体などと共に模式的に示す図である。
【０１０３】
検出手段１０３は、第一開口１１１を通過する光の光量である第一光量を検出する第一検出手段１０３ａと、第二開口１２１を通過する光の光量である第二光量を検出する第二検出手段１０３ｂとを備えている。
【０１０４】
本実施の形態の場合、検出手段１０３は、第一検出器１１４と、第二検出器１２４と、第一増幅器１１５と、第二増幅器１２５とを備えている。
【０１０５】
第一検出器１１４は、第一筐体１０１の第一開口１１１に配置され第一光量に対応する信号を出力するセンサである。第二検出器１２４は、第二開口１２１に配置され第二光量に対応する信号を出力するセンサである。
【０１０６】
本実施の形態の場合、第一検出器１１４と第二検出器１２４とは同じ種類、同じ形状、同じ特性を備えるセンサである。より具体的には、第一検出器１１４は、第一開口１１１全域を通過する光の光量全てを検出するフォトダイオードを備えており、第二検出器１２４は、第二開口１２１全域を通過する光の光量全てを検出するフォトダイオードを備えている。また、第一検出器１１４、第二検出器１２４は、複数のフォトダイオードが面上に配置されるフォトダイオードアレイでもかまわないが、第一開口１１１や第二開口１２１を継ぎ目無く覆うフォトダイオードが望ましい。
【０１０７】
第一増幅器１１５と、第二増幅器１２５とは、第一検出器１１４、第二検出器１２４から送信される信号を、演算手段１０４が処理できる程度に増幅する装置である。なお、第一増幅器１１５と、第二増幅器１２５とは、本願発明の必須の構成要素ではない。
【０１０８】
本実施の形態の場合、第一増幅器１１５（第二増幅器１２５も同様）は、フォトダイオードを備えた第一検出器１１４から送信される電流信号を増幅する増幅部と、電流信号を電圧信号に変換する変換部と、アナログの電圧信号をデジタルの信号に変換するＡＤ変換部とを備えている。
【０１０９】
さらに、検出手段１０３は、光量抑制フィルタ１３１と、視感度補正フィルタ１３２とを備えている。
【０１１０】
光量抑制フィルタ１３１は、第一光量、および、第二光量を低下させるフィルタである。光量抑制フィルタ１３１は、特に第一光量が第一検出器１１４の検出能力を超えている場合に、第一検出器１１４の能力範囲内となるように第一光量を抑制して第一検出器１１４に到達させるフィルタである。また、光量抑制フィルタ１３１は、第一光量を抑制した同じ比率で第二光量を抑制するフィルタである。
【０１１１】
本実施の形態の場合、検出手段１０３は、光量抑制フィルタ１３１を二つ備えている。光量抑制フィルタ１３１は、第一検出器１１４と、第二検出器１２４とにそれぞれ配置されている。また、全光量測定システム１００は、可視光を放射する発光デバイス３００の全光量を測定するシステムであり、光量抑制フィルタ１３１は、３５０ｎｍ〜８００ｎｍの波長範囲に該当する光の光量を均等に抑制する機能を備えている。また、検出手段１０３は、光量を９０％に抑制する光量抑制フィルタ１３１や、光量を８０％に抑制する光量抑制フィルタ１３１など、複数種類の光量抑制フィルタ１３１を備えておき、発光デバイス３００の種類によって光量抑制フィルタ１３１を使い分けてもよい。
【０１１２】
視感度補正フィルタ１３２は、人間の目が光の波長ごとの明るさを感じる強さを数値で表わした比視感度に発光デバイス３００から放射される光の波長分布を調整するためのフィルタである。視感度補正フィルタ１３２を使用した場合、全光量測定システム１００で測定された発光デバイス３００の全光量が、人間が感じる発光デバイス３００の明るさと強く相関し、発光デバイス３００の能力を示す有効な指標（全光束）となる。
【０１１３】
なお、光量抑制フィルタ１３１や視感度補正フィルタ１３２は、必要に応じ適宜使用すればよい。すなわち、発光デバイスの全光量を測定したい場合は視感度補正フィルタ１３２を省略し、全光束を使用したい場合は視感度補正フィルタを使用する。
【０１１４】
演算手段１０４は、検出手段１０３で検出された第一光量と第二光量とを所定の計算式に代入し発光デバイス３００の全光量を算出する装置である。
【０１１５】
ここで、所定の計算式とは、Ｄ＝Ａ＋（Ｃ−Ａ）／ｔである。また、Ｄは、全光量である。Ｃは、第一検出器１１４から取得される光量である。すなわちＣは、第一光量である。Ａは、第二検出器１２４から取得される光量である。すなわちＡは、第二光量である。ｔは、反射率補正係数である。なお、反射率補正係数は、全光量測定システム１００に固有の係数であり、全光量が既知の発光デバイスを用いて定められる。
【０１１６】
本実施の形態の場合、演算手段１０４は、第一増幅器１１５から取得したデジタル信号と第二増幅器１２５から取得したデジタル信号を上記式に代入して演算し、全光量Ｄを得ることのできる中央演算装置やハードディスクなどの外部メモリを備えたコンピュータである。
【０１１７】
なお、演算手段１０４は、コンピュータに限られず、上記式を満たすデジタル回路でもかまわない。また、第一増幅器１１５や第二増幅器１２５からアナログ信号を取得し、当該アナログ信号を上記式に従って演算するアナログ回路であってもよい。
【０１１８】
次に、全光量測定システム１００を用いた全光量測定方法を説明する。
【０１１９】
本実施の形態の場合、全光量測定システム１００は、図１に示すように、供給ステーション１と、第一測定ステーション２と、第二測定ステーション３と、回収ステーション４と備えており、各ステーションは、各自の機能に基づき独立して（同時に）作業を行うことができるものとなっている。そして、前記各ステーションにおける工程が終了すれば、移送手段３１０が１インデクス分ソケット１０５を移動させ、各ステーションは再び同様の作業を実行する。なお、各ステーションにおける作業内容は後述する。
【０１２０】
また、第一測定ステーション２で得られた情報と、第二測定ステーション３で得られた情報とに基づき演算手段１０４で全光量が算出されるが、演算手段１０４の演算は、前記ステーションの作業と独立して行うことができる。
【０１２１】
なお、演算は、同じ発光デバイス３００における第一測定ステーション２からの情報と第二測定ステーション３からの情報が無ければ実行することができないため、結果的に演算手段１０４の演算は、前記各ステーションの作業と同期することとなる。また、第一測定ステーション２と第二測定ステーション３とは、供給ステーション１と回収ステーション４との間にあればよく、その順番はいずれが先でもかまわない。
【０１２２】
また、図１に示すように、第一測定ステーション２と第二測定ステーション３は隣接して配置する必要はなく、ある程度離れて配置されていても良い。
【０１２３】
また、全光量測定システム１００の測定対象である発光デバイス３００としてＬＥＤが採用されている。発光デバイス３００であるＬＥＤは、半球方向に光を放射するものであり、半球方向に放射された光の光量が全光量となるものである。
【０１２４】
事前に、本実施の形態で用いられる全光量測定システム１００の反射率補正係数ｔを算出し、演算手段１０４の第三記憶部（図１３参照）に記憶させる。具体的な方法は次の通りである。今回用いられるＬＥＤと同種のＬＥＤの全光量を、積分球を用いた光量測定システムや、配光測定システムなどで測定する。そして、この値をＤとしておく。次に、第一筐体１０１を用いて当該ＬＥＤの全光量を測定し第一光量Ｃを得る。次に、第二筐体１０２を用いて当該ＬＥＤの光量を測定し第二光量Ａを得る。以上により得られたＤとＡとＣを式Ｄ＝Ａ＋（Ｃ−Ａ）／ｔに代入し、ｔを算出する。そして、算出されたｔを演算手段１０４の第三記憶部に記憶させておく。
【０１２５】
まず、供給ステーション１における発光デバイス３００の供給方法を説明する。
【０１２６】
図１４は、発光デバイスの取り付け状態を、一部を切り欠いて側方から示す平面図である。
【０１２７】
図１５は、発光デバイスの取り付け状態を、一部を切り欠いて他の側方から示す平面図である。
【０１２８】
供給ステーション１では、移送手段３１０により装着手段３１３に対応する位置に配置されたソケット１０５に発光デバイス３００が取り付けられる（取り付け工程）。
【０１２９】
具体的には、装着手段３１３対応位置に配置されたソケット１０５に対してクランプ制御機構３１６が作用してレバー１６５、レバー１６６を基台１０６側に押しつけ、第一チャック１５１と第二チャック１５２とを開状態とする。
【０１３０】
次に、装着手段３１３は、発光デバイス３００を真空吸着により保持し搬送することのできるノズル３１７を備えており、ノズル３１７を用いて発光デバイス３００を基台１０６の上面に装着する。
【０１３１】
図１６は、発光デバイスがソケットに取り付けられた状態を、一部を切り欠いて側方から示す平面図である。
【０１３２】
図１７は、発光デバイスがソケットに取り付けられた状態を、一部を切り欠いて他の側方から示す平面図である。
【０１３３】
これらの図に示すように、クランプ制御機構３１６は、第一チャック１５１と第二チャック１５２への作用を解除する。これにより、第一チャック１５１と第二チャック１５２とは、付勢力により発光デバイス３００を所定の位置に保持する。
【０１３４】
次に、第一測定ステーション２における第一光量Ｃの測定方法を説明する。
【０１３５】
図１８に示すように、ソケット１０５を移送手段で移送できる移送可能状態から、図１９に示すように、第一転換手段１４１により第一筐体１０１をソケット１０５に対して接近させることにより、ソケット１０５に保持された発光デバイス３００が第一筐体１０１の内方に配置されて第一光量Ｃが測定可能となる測定可能状態に転換する（第一転換工程）。
【０１３６】
この状態において、第一挿入孔１１２の外端部周縁を移送手段３１０に当接させることで、第一空間１１０への迷光の進入を抑制している。
【０１３７】
さらに、第一決定部１１６が係合部３１２と係合していることで、第一筐体１０１と発光デバイス３００との位置が決定され、また、迷光が第一空間１１０に進入する経路が複雑となるためにより迷光が進入し難くなる。
【０１３８】
また、電力供給手段３１５が、移送手段３１０の下面に当接して、中継手段１６０と端子３１８とを接続させ、発光デバイス３００を駆動する。
【０１３９】
次に、第一開口１１１を通過する光の光量である第一光量Ｃを検出手段１０３により検出する（第一検出工程）。
【０１４０】
具体的には、第一検出器１１４を用いて発光デバイス３００の第一光量Ｃを測定する。第一検出器１１４は、光量抑制フィルタ１３１と、視感度補正フィルタ１３２とを介し、発光デバイス３００から放射される光の全てを検出する。なお、第一検出器１１４が検出する光は、発光デバイス３００から直接到達する直接光と、反射面部１１３で一度反射した後に到達する反射光とが含まれる。従って、第一検出器１１４で検出される第一光量Ｃは、直接光と反射光との和になる。
【０１４１】
次に、第一検出器１１４で検出された第一光量Ｃは、第一増幅器１１５を経て発光デバイス３００を個別に識別する情報とひも付けられて演算手段１０４の第一記憶部（図１３参照）に記憶される。
【０１４２】
なお、本実施の形態では、第一検出器１１４は、フォトダイオードが用いられており、第一光量Ｃの検出時間は３０ｍｓｅｃ程度である。
【０１４３】
次に、第二測定ステーション３における第二光量Ａの測定方法を説明する。
【０１４４】
図１８に示すように、ソケット１０５を移送手段で移送できる移送可能状態から、図１９に示すように、第二転換手段１４２により第二筐体１０２をソケット１０５に対して接近させることにより、ソケット１０５に保持された発光デバイス３００が第二筐体１０２の内方に配置されて第二光量Ａが測定可能となる測定可能状態に転換する（第二転換工程）。
【０１４５】
この状態において、第二挿入孔１２２の外端部周縁を移送手段３１０に当接させることで、第二空間１２０への迷光の進入を抑制している。
【０１４６】
さらに、第二決定部１２６が係合部３１２と係合していることで、第二筐体１０２と発光デバイス３００との位置が決定され、また、迷光が第二空間１２０に進入する経路が複雑となるためにより迷光が進入し難くなる。
【０１４７】
また、電力供給手段３１５が、移送手段３１０の下面に当接して、中継手段１６０と端子３１８とを接続させ、発光デバイス３００を駆動する。
【０１４８】
次に、第二開口１２１を通過する光の光量である第二光量Ａを検出手段１０３により検出する（第二検出工程）。
【０１４９】
具体的には、第二検出器１２４を用いて発光デバイス３００の第二光量Ａを測定する。第二検出器１２４は、光量抑制フィルタ１３１と、視感度補正フィルタ１３２とを介し、発光デバイス３００から放射される光の内、吸収面部１２３に到達する光は、吸収面部１２３によって吸収されるため、直接光のみを検出する。従って、第一検出器１１４で検出される光量が第一光量Ａとなる。
【０１５０】
次に、第二検出器１２４で検出された第二光量Ａは、第二増幅器１２５を経て発光デバイス３００を個別に識別する情報とひも付けられて演算手段１０４の第二記憶部（図１３参照）に記憶される。
【０１５１】
なお、本実施の形態では、第二検出器１２４は、第一検出器１１４と同様、フォトダイオードが用いられており、第二光量Ａの検出時間は３０ｍｓｅｃ程度である。
【０１５２】
次に、図１８に示すように、第一筐体１０１と第二筐体１０２とを第一転換手段１４１と第二転換手段１４２とにより移送手段３１０から離して移送可能状態とする（第一転換工程、第二転換工程）。
【０１５３】
ここで演算手段１０４は、発光デバイス３００を個別に識別する情報に基づき第一記憶部に記憶されている第一光量Ｃと第二測定ステーション３で測定された第二光量Ａと、ｔを用いて発光デバイス３００の全光量Ｄを算出する（演算工程）。全光量Ｄの算出に用いられる式はＤ＝Ａ＋（Ｃ−Ａ）／ｔである。
【０１５４】
次に回収ステーション４における発光デバイス３００の回収方法を説明する。
【０１５５】
演算手段１０４で算出された全光量が所定の閾値以上の発光デバイス３００が回収手段３１１ａの対応位置にまで移送されれば、対応する位置に配置されるクランプ制御機構３１６が作動してソケット１０５の発光デバイス３００の保持状態を解除し、回収手段３１１ａにより回収される。
【０１５６】
また、発光デバイス３００の全光量が所定の閾値に達していなかった場合、回収手段３１１ｂの対応位置まで移送されたタイミングで、クランプ制御機構３１６が作動して発光デバイス３００の保持状態を解除し、回収手段３１１ｂにより回収される。
【０１５７】
以上の様に、全光量測定システム１００は、乱反射を利用するもので無いため、強い光の状態で測定を行うことができ、比較的短時間で全光量を測定することができる。従って、発光デバイス３００の生産工場などにおいて、生産される発光デバイス３００の全数に対して全光量を測定することが可能となる。
【０１５８】
また、第一筐体１０１や第二筐体１０２など、設置環境を選ぶことなく、経時的に安定した性質を維持することができる部材で構成されているため、発光デバイス３００の生産工場内でも安定した測定結果を維持することが可能となる。
【０１５９】
なお、本願発明は、上記実施の形態に限定されるものではない。例えば、本明細書において記載した構成要素を任意に組み合わせて実現される別の実施の形態を本願発明としてもよい。また、上記実施の形態に対して本願発明の主旨、すなわち、特許請求の範囲に記載される文言が示す意味を逸脱しない範囲で当業者が思いつく各種変形を施して得られる変形例も本願発明に含まれる。また、「同一」や「吸収」などの文言は本願発明の趣旨を逸脱しない程度の誤差を許容する意味で使用している。
【０１６０】
例えば、移送手段３１０は、インデックステーブル式の装置ばかりでなく、ソケット１０５を保持して搬送するコンベアのようなものでもかまわない。また、移送手段３１０の移送制度が高い場合には、第一決定部１１６、第二決定部１２６、係合部３１２等は無くてもかまわない。例えば、図２０に示すように、第一挿入孔１１２の全周囲を囲むように配置されるとともに、発光デバイス３００が測定可能状態となった場合に、移送手段３１０と第一筐体１０１との隙間を埋め、第一筐体１０１の外方からの迷光の第一空間１１０への進入を阻止する柔軟性のある第一遮光部材１８０を設けてもかまわない。なお、図示は省略するが、第二挿入孔１２２の全周囲を囲むように配置されるとともに、発光デバイス３００が測定可能状態となった場合に、移送手段３１０とと第二筐体１０２との隙間を埋めて第二筐体１０２外方からの迷光の第二空間１２０への進入を阻止する柔軟性のある第二遮光部材を備えてもかまわない。
【０１６１】
また、図２１に示すように、ソケット１０５が全周に渡り外方に向けて突出するフランジ部１８１を備え、前記第一遮光部材１８０や第二遮光部材は、第一筐体１０１、および、第二筐体１０２とフランジ１０８との隙間を埋めることにより迷光の進入を阻止してもかまわない。
【０１６２】
以上の様な構成とすることにより、剛性のある第一筐体１０１、および、第二筐体１０２と剛性のある移送手段３１０やソケット１０５とが直接接触しないため、転換手段１４０に前記両者の当接による衝撃が発生しない。従って、転換手段１４０などの寿命を向上させることが可能となる。
【０１６３】
さらにまた、遮光部材を設けることなく、第一筐体１０１、および、第二筐体１０２と移送手段３１０やソケット１０５とを近接させることにより、迷光の第一空間１１０、および、第二空間１２０への進入を抑制できる場合、同様の効果を得ることが可能となる。
【０１６４】
また、第一決定部１１６、第二決定部１２６、係合部３１２の形状は、断面半円形の環状ばかりでなく、断面が矩形やくさび形であってもかまわない。また、環形状ではなく、ピンなどにより位置を決定するものでもかまわない。また、ソケット１０５と第一挿入孔１１２や第二挿入孔１２２との隙間を埋め、迷光の進入を抑止するような柔軟な部材を、ソケット１０５の外周壁や第一筐体１０１や第二筐体１０２の内周壁に設けてもよく、第一筐体１０１や第二筐体１０２と移送手段３１０との間に配置してもかまわない。
【産業上の利用可能性】
【０１６５】
本願発明は、多量の発光デバイスの全光量を効率よく測定することが可能であり、発光デバイスの全数について全光量を絶対的に評価し、分別するための装置として利用可能である。
【符号の説明】
【０１６６】
１  供給ステーション
２  第一測定ステーション
３  第二測定ステーション
４  回収ステーション
１００  全光量測定システム
１０１  第一筐体
１０２  第二筐体
１０３  検出手段
１０４  演算手段
１０５  ソケット
１１０  第一空間
１１１  第一開口
１１２  第一挿入孔
１１３  反射面部
１１４  第一検出器
１１５  第一増幅器
１１６  第一決定部
１２０  第二空間
１２１  第二開口
１２２  第二挿入孔
１２３  吸収面部
１２４  第二検出器
１２５  第二増幅器
１２６  第二決定部
１３１  光量抑制フィルタ
１３２  視感度補正フィルタ
１４０  転換手段
１４１  第一転換手段
１４２  第二転換手段
１４３  第一筐体保持部
１５１  第一チャック
１５２  第二チャック
１５３  案内面
１５４  吸引孔
１５５  通電手段
１５６  ピン挿入孔
１５７  穴
１５８  第一電極
１５９  第二電極
１６０  中継手段
１６１  ピン
１６２  ボルト
１６３  配管
１７０  フローティング機構
３００  発光デバイス
３１０  移送手段
３１１  回収手段
３１２  係合部
３１３  装着手段
３１５  電力供給手段
３１６  クランプ制御機構
３１７  ノズル
３１８  端子
３１９  駆動回路
【図１】
0005318043.tif 000002
【図２】
0005318043.tif 000003
【図３】
0005318043.tif 000004
【図４】
0005318043.tif 000005
【図５】
0005318043.tif 000006
【図６】
0005318043.tif 000007
【図７】
0005318043.tif 000008
【図８】
0005318043.tif 000009
【図９】
0005318043.tif 000010
【図１０】
0005318043.tif 000011
【図１１】
0005318043.tif 000012
【図１２】
0005318043.tif 000013
【図１３】
0005318043.tif 000014
【図１４】
0005318043.tif 000015
【図１５】
0005318043.tif 000016
【図１６】
0005318043.tif 000017
【図１７】
0005318043.tif 000018
【図１８】
0005318043.tif 000019
【図１９】
0005318043.tif 000020
【図２０】
0005318043.tif 000021
【図２１】
0005318043.tif 000022